【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
人の心原性拍出量を測定するための方法であって、
（ａ）人の胸の中心付近の胸骨中央位置に、外部に誘電材料を有するアンテナに結合された信号ジェネレータを備えたデバイスを配置するステップと、
（ｂ）所定の周波数を有する第１の信号を人の心臓に向けて伝播させるステップと、
（ｃ）人の心臓から返された第１の信号の一部をデバイスで受信し、該受信した信号を測定するステップと、
（ｄ）人の心臓内へ伝播された第１の信号の大きさを、該人の心臓から返された第１の信号の大きさと比較し、第１の信号のリターンロスを計算するステップと、
（ｅ）デバイスを使用して、人の心臓の一部内へ、第１の信号の周波数とは異なる周波数の少なくとも１つの追加の信号を伝播させるステップと、
（ｆ）人の心臓から返された追加の信号の一部をデバイスで受信し、該受信した信号を測定するステップと、
（ｇ）人の心臓内へ伝播された追加の信号の大きさを、該人の該心臓から返された追加の信号の大きさと比較し、追加の信号のリターンロスを計算するステップと、
（ｈ）第１の信号のリターンロスと追加の信号のリターンロスを比較するステップと、
（ｉ）追加の信号の周波数を所定の周波数レンジにわたって徐々に増加変化させながら、複数の信号に関してステップ（ｅ）から（ｈ）を繰り返すステップと、
（ｊ）所定の周波数レンジにわたって、人の心臓内へ伝播された信号の最大リターンロス値を求めるステップと、
（ｋ）求められた最大リターンロス値を有する信号の周波数を識別するステップと
を含むことを特徴とする方法。
【請求項２】
請求項１記載の方法において、信号は、無線周波数信号であることを特徴とする方法。
【請求項３】
請求項１記載の方法において、誘電材料は、セラミックス、ガラス、液体、ゲル、及び高分子材料から成る群から選択されることを特徴とする方法。
【請求項４】
請求項１記載の方法において、該方法は更に、人の胸部内の組織のインピーダンスを推定するステップを含むことを特徴とする方法。
【請求項５】
請求項４記載の方法において、該方法は更に、人の胸部内のインピーダンスの変化を推定するステップを含むことを特徴とする方法。
【請求項６】
請求項５記載の方法において、該方法は更に、人の胸部内のインピーダンスの変化に基づいて、心臓の１回拍出量を推定するステップを含むことを特徴とする方法。
【請求項７】
請求項５記載の方法において、該方法は更に、最大リターンロス値の変化に基づいて、心臓のＱＲＳ群のタイミングを求めるステップを含むことを特徴とする方法。
【請求項８】
請求項５記載の方法において、該方法は更に、最大リターンロス値を有する信号の周波数の変化に基づいて、心臓のＱＲＳ群のタイミングを求めるステップを含むことを特徴とする方法。
【請求項９】
請求項１記載の方法において、心臓の一部は、心臓の右心室であることを特徴とする方法。
【請求項１０】
人の心臓の心原性肺パラメータを測定するためのシステムであって、
アンテナに結合された信号ジェネレータを収容するハウジング及びアンテナ付近に配置された誘電材料を備えるデバイスであって、該デバイスは、複数の無線周波数信号を生成し、該信号を人の心臓に向けて方向付けると共に、人の心臓をから返された信号の振幅を測定するよう構成されているデバイスと、
ハウジング内に収容されたプロセッサであって、該プロセッサは、人の心臓内へ伝播されたそれぞれの無線周波数信号の振幅と心臓から反射されたそれぞれの信号の振幅との差を比較し、該差に基づいて、最大リターンロス値を有する信号の周波数を求めるよう構成されているプロセッサと
を備え、
プロセッサはさらに、デバイスによって伝播されたそれぞれの無線周波数信号の振幅と、心臓の一部から返されたそれぞれの信号の振幅との間の差に基づいて、胸部内の組織のインピーダンスの変化を推定するように構成されている
ことを特徴とするシステム。
【請求項１１】
請求項１０記載のシステムにおいて、プロセッサは、人の心拍出量を計算するようにさらに適合され、システムは更に、デバイス付近に配置され、測定された信号を表示するディスプレイであって、人の推定された１回拍出量を表示するように較正することができる、ディスプレイを備えていることを特徴とするシステム。
【請求項１２】
請求項１１記載のシステムにおいて、プロセッサはさらに、人の推定された１回拍出量に基づいて、人の心原性肺パラメータを計算するように構成されていることを特徴とするシステム。
【請求項１３】
請求項１０記載のシステムにおいて、デバイスは、求められた最大リターンロス値を有する周波数及び振幅の信号を心臓の一部内へ生成すると共に、心臓の一部内へ伝播された信号の一部を受信するよう構成されていることを特徴とするシステム。
【請求項１４】
請求項１０記載のシステムにおいて、誘電材料は、セラミックス、ガラス、液体、ゲル、及び高分子材料から成る群から選択されることを特徴とするシステム。
【請求項１５】
請求項１２記載のシステムにおいて、プロセッサは、胸部の組織のインピーダンスの変化に基づいて、心臓の１回拍出量を推定するよう構成されていることを特徴とするシステム。
【請求項１６】
請求項１５記載のシステムにおいて、プロセッサは、胸部の組織のインピーダンスの変化に基づいて、心臓のＱＲＳ群のタイミングを推定するよう構成されていることを特徴とするシステム。
【請求項１７】
請求項１５記載のシステムにおいて、プロセッサはさらに、心臓の壁の一部に向けて伝播された信号の最大リターンロスの周波数の変化に基づいて、心臓のＱＲＳ群のタイミングを推定するよう構成されていることを特徴とするシステム。
【請求項１８】
請求項１０記載のシステムにおいて、誘電材料は、人の心臓に向けて伝播された複数の無線周波数信号の近距離場成分の実質的な部分が該誘電材料内に含まれるような所定の厚さ及び所定の誘電率を有することを特徴とするシステム。
【請求項１９】
請求項１０記載のシステムにおいて、誘電材料は、人の心臓に向けて伝播された信号の実質的に近距離場成分全体が誘電材料内に含まれるような所定の厚さ及び所定の誘電率を有することを特徴とするシステム。
【請求項２０】
人の心拍出量を測定するための方法であって、
（ａ）前記人の近傍に、アンテナに結合された無線周波数信号ジェネレータを備えたハンドヘルド型のデバイスを配置するステップと、
（ｂ）所定の周波数レンジにわたる複数の信号を前記人の心臓の一部へ伝播させるステップと、
（ｃ）前記デバイスを使用して前記人の心臓から戻された前記複数の信号の一部を受信し測定するステップと、
（ｄ）前記人の心臓内に伝播された前記複数の信号の振幅を該心臓から戻された信号の振幅と比較し、前記複数の信号のリターンロス値を計算するステップと、
（ｅ）前記複数の信号リターンロス値を相互に対比するステップと、
（ｆ）前記所定の周波数レンジにわたる前記複数の信号のリターンロス値の最大値を決定するステップと
を含んでいることを特徴とする方法。
【請求項２１】
請求項２０記載の方法において、前記所定の周波数レンジは、１０００ＭＨｚ〜２０００ＭＨｚを含むことを特徴とする方法。
【請求項２２】
請求項２０記載の方法において、前記所定の周波数レンジは、５００ＭＨｚ〜２５００ＭＨｚを含むことを特徴とする方法。
【請求項２３】
人の心拍出量を測定するための方法であって、
（ａ）前記人の近傍に、アンテナに結合された無線周波数信号ジェネレータを備えたハンドヘルド型のデバイスを配置するステップと、
（ｂ）一定の振幅を有しかつそれぞれが異なる周波数を有する複数の信号を前記人の心臓の一部へ伝播させるステップと、
（ｃ）前記デバイスを使用して前記人の心臓から戻された前記複数の信号の一部を受信し測定するステップと、
（ｄ）前記人の心臓から戻された前記複数の信号から、最大のリターンロス値を有する信号を特定するステップと、
（ｅ）前記最大のリターンロス値を有する信号の周波数を特定するステップと
を含んでいることを特徴とする方法。
【請求項２４】
請求項２３記載の方法において、前記人の心臓から戻された前記複数の信号は、ネットワークアナライザを用いて測定されることを特徴とする方法。
【請求項２５】
請求項２４記載の方法において、前記デバイスは、前記人の心臓から戻された前記複数の信号のピーク振幅に対応する最大リターンロス値を出力するピーク検出器を備えていることを特徴とする方法。
【請求項２６】
請求項２３記載の方法において、該方法は更に、所定の時間の間、前記最大リターンロス値に対応する信号の周波数で、追加の信号を伝播することによって、測定された心原性肺パラメータを最適化するステップを含んでいることを特徴とする方法。
【請求項２７】
請求項２３記載の方法において、該方法は更に、ステップ（ｂ）〜（ｅ）を反復するステップと、所定の時間の間、前記最大リターンロス値に対応する信号の周波数で、追加の信号を伝播することによって、測定された心原性肺パラメータを最適化するステップを含んでいることを特徴とする方法。
【請求項２８】
請求項２３記載の方法において、該方法は更に、胸部内の組織のインピーダンスを推定するステップを含んでいることを特徴とする方法。
【請求項２９】
請求項２３記載の方法において、該方法は更に、前記心臓の壁の一部の動きの大きさを推定するステップを含んでいることを特徴とする方法。